(57)【要約】      （修正有）【課題】ある銀行から他の銀行へ貨幣を移動させる場合に、利用者の貨幣保持によるリスクを無くすことが可能な自動入出金システムを提供する。【解決手段】ＡＴＭ２の記憶部２２は、各銀行の手数料等を記憶する。送受信部２１は、利用者により銀行カード７がデータ読取部２３に挿入され出金操作や入金操作が行われると、記憶部２２のデータや銀行カードのデータに基づいて、出金依頼データ２００や入金依頼データ３００の送信を行う。ＡＴＭサーバ３の送受信部３１は、ＡＴＭ２から送信される出金依頼データ２００又は入金依頼データ３００を、そのデータに示される「銀行コード」に対応する銀行サーバ４へ送信する。各銀行サーバ４の記憶部４２は、口座毎に残高などを記憶している。送受信部４１は、出金依頼データ２００又は入金依頼データ３００を受信すると。残高更新部４３は、当該依頼データ３００に基づいて、「口座情報」の残高を更新する。【選択図】図１
2011180774.tif 000002
【特許請求の範囲】
【請求項１】
自動入出金装置と、自動入出金サーバと、第１の銀行における口座毎の残高を管理する第１の銀行サーバ及び第２の銀行における口座毎の残高を管理する第２の銀行サーバとが互いにデータを送受信する自動入出金システムであって、
前記自動入出金装置は、
前記第１の銀行に対応する第１の銀行カード又は前記第２の銀行に対応する第２の銀行カードに記憶される口座情報を読み取るデータ読取手段と、
出金依頼データ及び入金依頼データを送信するとともに、出金許可データを受信する第１の送受信手段と、
前記出金許可データを受信すると、前記出金許可データに示される金額を記憶する記憶手段と、
前記データ読取手段により前記第１の銀行カードに記憶される口座情報が読み取られると、その口座情報及び利用者により入力される金額が示される前記出金依頼データを生成するとともに、前記データ読取手段により前記第２の銀行カードに記憶される口座情報が読み取られると、その口座情報及び前記記憶手段に記憶される金額が示される前記入金依頼データを生成する第１のデータ生成手段と、
を備え、
前記自動入出金サーバは、前記自動入出金装置から送信される前記出金依頼データを前記第１の銀行サーバへ送信し、前記自動入出金装置から送信される前記入金依頼データを前記第２の銀行サーバに送信し、前記第１の銀行サーバから送信される前記出金許可データを前記自動入出金装置に送信する第２の送受信手段を備え、
前記第１の銀行サーバは、
前記出金依頼データを受信するとともに、前記出金許可データを送信する第３の送受信手段と、
前記出金依頼データを受信すると、前記出金依頼データに示される金額に基づいて、前記出金依頼データに示される口座情報に対応する残高を更新する第１の残高更新手段と、
前記第１の残高更新手段の更新処理が完了すると、前記出金依頼データの金額が示される前記出金許可データを生成する第２のデータ生成手段と、
を備え、
前記第２の銀行サーバは、
前記入金依頼データを受信する第４の送受信手段と、
前記入金依頼データを受信すると、前記入金依頼データに示される金額に基づいて、前記入金依頼データに示される口座情報に対応する残高を更新する第２の残高更新手段と、
を備える自動入出金システム。
【請求項２】
請求項１に記載の自動入出金システムであって、
前記第１のデータ生成手段は、前記データ読取手段により前記第１の銀行カードに記憶される口座情報が読み取られ、前記第１の銀行において出金手続ができると判断すると、その口座情報及び利用者により入力される金額が示される前記出金依頼データを生成するとともに、前記データ読取手段により前記第２の銀行カードに記憶される口座情報が読み取られ、前記第２の銀行において入金手続ができると判断すると、その口座情報及び前記記憶手段に記憶される金額が示される前記入金依頼データを生成する
ことを特徴とする自動入出金システム。
【請求項３】
請求項１又は請求項２に記載の自動入出金システムであって、
前記自動入出金装置は、前記第１の送受信手段が入金許可データを受信すると、入金処理が完了した旨のメッセージを表示する表示手段を備え、
前記第２の銀行サーバは、前記第２の残高更新手段の更新処理が完了すると、前記入金許可データを生成する第３のデータ生成手段を備え、
前記第４の送受信手段は、前記入金許可データを送信し、
前記第２の送受信手段は、前記第２の銀行サーバから送信される前記入金許可データを前記自動入出金装置に送信する
ことを特徴とする自動入出金システム。
【請求項４】
第１の銀行における口座毎の残高を管理する第１の銀行サーバ及び第２の銀行における口座毎の残高を管理する第２の銀行サーバと自動入出金サーバを介して互いにデータを送受信する自動入出金装置であって、
前記第１の銀行に対応する第１の銀行カード又は前記第２の銀行に対応する第２の銀行カードに記憶される口座情報を読み取るデータ読取手段と、
出金依頼データを前記第１の銀行サーバへ、入金依頼データを前記第２の銀行サーバへそれぞれ送信するとともに、前記出金依頼データに示される金額に基づいて前記出金依頼データに示される口座情報に対応する残高が更新された後に生成され、かつ、前記出金依頼データに示される金額が示される前記出金許可データを前記第２の銀行サーバから受信する送受信手段と、
前記出金許可データを受信すると、前記出金許可データに示される金額を記憶する記憶手段と、
前記データ読取手段により前記第１の銀行カードに記憶される口座情報が読み取られると、その口座情報及び利用者により入力される金額が示される前記出金依頼データを生成するとともに、前記データ読取手段により前記第２の銀行カードに記憶される口座情報が読み取られると、その口座情報及び前記記憶手段に記憶される金額が示される前記入金依頼データを生成するデータ生成手段と、
を備える自動入出金装置。
【請求項５】
請求項４に記載の自動入出金装置であって、
前記データ生成手段は、前記データ読取手段により前記第１の銀行カードに記憶される口座情報が読み取られ、前記第１の銀行において出金手続ができると判断すると、その口座情報及び利用者により入力される金額が示される前記出金依頼データを生成するとともに、前記データ読取手段により前記第２の銀行カードに記憶される口座情報が読み取られ、前記第２の銀行において入金手続ができると判断すると、その口座情報及び前記記憶手段に記憶される金額が示される前記入金依頼データを生成する
ことを特徴とする自動入出金装置。
【請求項６】
請求項４又は請求項５に記載の自動入出金装置であって、
前記送受信手段が入金許可データを受信すると、入金処理が完了した旨のメッセージを表示する表示手段を備え、
前記第２の銀行サーバは、前記入金許可データに示される口座情報に対応する残高の更新処理が完了すると、前記入金許可データを生成し、その生成した前記入金許可データを前記自動入出金装置へ送信する
ことを特徴とする自動入出金装置。
【発明の詳細な説明】
【技術分野】
【０００１】
本発明は、自動入出金装置と複数の銀行の口座情報を管理する各銀行サーバとの間でネットワークを介してデータが送受信される自動入出金システムに関する。
【背景技術】
【０００２】
近年、コンビニエンスストアなどに設置される自動入出金装置（以下、ＡＴＭ（Ａｕｔｏｍａｔｅｄ  Ｔｅｌｌｅｒ  Ｍａｃｈｉｎｅ）という）は、複数の銀行のキャッシュカードが使用可能となっている。
【０００３】
このようなＡＴＭにて、利用者がＡ銀行の自口座からＢ銀行の自口座へ貨幣を移動させる場合、例えば、Ａ銀行からＢ銀行へ振り込みを行う方法、Ａ銀行から現金を出金してその現金をＢ銀行へ入金する方法、又はＡ銀行から電子貨幣を出金してその電子貨幣をＢ銀行へ入金する方法（例えば、特許文献１参照）などがある。
【０００４】
しかしながら、Ａ銀行からＢ銀行へ振り込みを行う場合では、どちらも自口座であるにもかかわらず、振り込み手数料がかかってしまう。また、Ａ銀行から現金を出金してその現金をＢ銀行へ入金する方法やＡ銀行から電子貨幣を出金してその電子貨幣をＢ銀行へ入金する方法では、振り込み手数料はかからないものの、現金や電子貨幣を利用者が一旦保持する必要があり貨幣保持に伴うリスクが発生してしまう。
【先行技術文献】
【特許文献】
【０００５】
【特許文献１】特開平９−２１８９８３号公報
【発明の概要】
【発明が解決しようとする課題】
【０００６】
本発明では、ある銀行から他の銀行へ貨幣を移動させる場合に、利用者の貨幣保持により発生するリスクを無くすことが可能な自動入出金システムを提供することを目的とする。
【課題を解決するための手段】
【０００７】
本発明の自動入出金システムは、自動入出金装置と、自動入出金サーバと、第１の銀行における口座毎の残高を管理する第１の銀行サーバ及び第２の銀行における口座毎の残高を管理する第２の銀行サーバとが互いにデータを送受信する自動入出金システムであって、前記自動入出金装置は、前記第１の銀行に対応する第１の銀行カード又は前記第２の銀行に対応する第２の銀行カードに記憶される口座情報を読み取るデータ読取手段と、出金依頼データ及び入金依頼データを送信するとともに、出金許可データを受信する第１の送受信手段と、前記出金許可データを受信すると、前記出金許可データに示される金額を記憶する記憶手段と、前記データ読取手段により前記第１の銀行カードに記憶される口座情報が読み取られると、その口座情報及び利用者により入力される金額が示される前記出金依頼データを生成するとともに、前記データ読取手段により前記第２の銀行カードに記憶される口座情報が読み取られると、その口座情報及び前記記憶手段に記憶される金額が示される前記入金依頼データを生成する第１のデータ生成手段とを備え、前記自動入出金サーバは、前記自動入出金装置から送信される前記出金依頼データを前記第１の銀行サーバへ送信し、前記自動入出金装置から送信される前記入金依頼データを前記第２の銀行サーバに送信し、前記第１の銀行サーバから送信される前記出金許可データを前記自動入出金装置に送信する第２の送受信手段を備え、前記第１の銀行サーバは、前記出金依頼データを受信するとともに、前記出金許可データを送信する第３の送受信手段と、前記出金依頼データを受信すると、前記出金依頼データに示される金額に基づいて、前記出金依頼データに示される口座情報に対応する残高を更新する第１の残高更新手段と、前記第１の残高更新手段の更新処理が完了すると、前記出金依頼データの金額が示される前記出金許可データを生成する第２のデータ生成手段とを備え、前記第２の銀行サーバは、前記入金依頼データを受信する第４の送受信手段と、前記入金依頼データを受信すると、前記入金依頼データに示される金額に基づいて、前記入金依頼データに示される口座情報に対応する残高を更新する第２の残高更新手段とを備える。
【発明の効果】
【０００８】
本発明によれば、自動入出金装置と各銀行サーバとの間でネットワークを介してデータが送受信される自動入出金システムにおいて、ある銀行から他の銀行へ貨幣を移動させる場合に、利用者の貨幣保持により発生するリスクを無くすことができる。
【図面の簡単な説明】
【０００９】
【図１】本発明の実施形態の自動入出金システムを示す図である。
【図２】銀行カード、ＡＴＭ、及び銀行サーバにそれぞれ記憶されるデータの一例を示す図である。
【図３】出金依頼データ、出金許可データ、入金依頼データ、及び入金許可データの一例を示す図である。
【図４】自動入出金システムの動作を説明するためのフローチャート（その１）である。
【図５】自動入出金システムの動作を説明するためのフローチャート（その２）である。
【図６】自動入出金システムの動作を説明するためのフローチャート（その３）である。
【図７】ＡＴＭの表示部に表示される画面の一例を示す図（その１）である。
【図８】ＡＴＭの表示部に表示される画面の一例を示す図（その２）である。
【発明を実施するための形態】
【００１０】
図１は、本発明の実施形態の自動入出金システムを示す図である。
図１に示す自動入出金システム１では、ＡＴＭ２とＡＴＭサーバ３との間でＡＴＭネットワーク５を介して互いにデータが送受信されるとともに、ＡＴＭサーバ３と複数の銀行サーバ４（Ａ銀行における口座毎の残高などを管理するＡ銀行サーバ４、Ｂ銀行における口座毎の残高などを管理するＢ銀行サーバ４、・・・）との間で提携ネットワーク６を介して互いにデータが送受信される。なお、ＡＴＭサーバ３は、複数のＡＴＭ２のそれぞれのデータを管理するように構成してもよい。
【００１１】
ＡＴＭ２は、送受信部２１と、記憶部２２と、データ読取部２３と、データ生成部２４と、表示部２５（例えば、タッチパネルディスプレイ）とを備えて構成されている。送受信部２１は、利用者により銀行カード７（キャッシュカード）がデータ読取部２３に挿入され出金操作が行われると、出金依頼データ２００の送信や出金許可データ２１０の受信を行う。また、送受信部２１は、利用者により銀行カード７がデータ読取部２３に挿入され入金操作が行われると、入金依頼データ３００の送信や入金許可データ３１０の受信を行う。記憶部２２は、各銀行の手数料や入出金の可否状態データなどを記憶する。データ読取部２３は、挿入される銀行カード７に記憶されているデータを読み取る。データ生成部２４は、記憶部２２に記憶されているデータやデータ読取部２３により読み取られたデータに基づいて、出金依頼データ２００や入金依頼データ３００を生成する。表示部２５は、出金操作や入金操作を利用者に案内するための画面を表示する。
【００１２】
ＡＴＭサーバ３は、送受信部３１を備えて構成されている。送受信部３１は、ＡＴＭ２から送信される出金依頼データ２００又は入金依頼データ３００を、そのデータに示される「銀行コード」に対応する銀行サーバ４へ送信する。また、送受信部３１は、銀行サーバ４から送信される出金許可データ２１０又は入金許可データ３１０を、出金依頼データ２００又は入金依頼データ３００を送信したＡＴＭ２へ送信する。
【００１３】
各銀行サーバ４は、それぞれ、送受信部４１と、記憶部４２と、残高更新部４３と、データ生成部４４とを備えて構成されている。送受信部４１は、出金依頼データ２００又は入金依頼データ３００を受信するとともに、出金許可データ２１０又は入金許可データ３１０を送信する。記憶部４２は、口座毎に残高などを記憶している。残高更新部４３は、出金依頼データ２００に示される「出金金額」に基づいて、出金依頼データ２００に示される「口座情報」に対応する残高を更新するとともに、入金依頼データ３００に示される「入金金額」に基づいて、入金依頼データ３００に示される「口座情報」に対応する残高を更新する。データ生成部４４は、残高の更新が完了すると、出金許可データ２１０や入金許可データ３１０を生成する。
【００１４】
図２（ａ）は、Ａ銀行カード７に記憶される口座情報のデータ構成の一例を示す図であり、図２（ｂ）は、Ｂ銀行カード７に記憶される口座情報のデータ構成の一例を示す図である。
【００１５】
図２（ａ）に示すデータ構成１１０では、銀行コード１１１の項目に格納される「銀行コード」として「０００１」が示され、支店コード１１２の項目に格納される「支店コード」として「００１」が示され、口座番号１１３の項目に格納される「口座番号」として「０００００００１」が示され、科目１１４の項目に格納される「科目」として「０１」が示されている。また、図２（ｂ）のデータ構成１２０では、銀行コード１２１の項目に格納される「銀行コード」として「０００３」が示され、支店コード１２２の項目に格納される「支店コード」として「００３」が示され、口座番号１２３の項目に格納される「口座番号」として「０００００００３」が示され、科目１２４の項目に格納される「科目」として「０３」が示されている。
【００１６】
図２（ｃ）は、ＡＴＭ２の記憶部２２に記憶される銀行データテーブルの一例を示す図である。
図２（ｃ）に示す銀行データテーブル１３０は、銀行コード１３１、銀行名１３２、手数料（円）１３３、出金可能フラグ１３４、及び入金可能フラグ１３５の各項目からなるデータレコード（１）〜データレコード（Ｎ）により構成される。図２（ｃ）に示す銀行データテーブル１３０では、例えば、データレコード（１）の銀行コード１３１の項目に格納される「銀行コード」として「０００１」が示され、データレコード（１）の銀行名１３２の項目に格納される「銀行名」として「Ａ銀行」が示され、データレコード（１）の手数料（円）１３３の項目に格納される「手数料」として「０」が示され、データレコード（１）の出金可能フラグ１３４の項目に格納されるフラグ（可否状態データ）として「可」が示され、データレコード（１）の入金可能フラグ１３５の項目に格納されるフラグ（可否状態データ）として「可」が示されている。また、例えば、データレコード（４）の銀行コード１３１の項目に格納される「銀行コード」として「０００４」が示され、データレコード（４）の銀行名１３２の項目に格納される「銀行名」として「Ｚ銀行」が示され、データレコード（４）の手数料（円）１３３の項目に格納される「手数料」として「２１０」が示され、データレコード（４）の出金可能フラグ１３４の項目に格納されるフラグとして「不可」が示され、データレコード（４）の入金可能フラグ１３５の項目に格納されるフラグとして「不可」が示されている。なお、ＡＴＭ２は、出金可能フラグ１３４又は入金可能フラグ１３５に格納されるフラグを、各銀行における入出金可能時間に基づいて判断してもよい。
【００１７】
図２（ｄ）は、ＡＴＭ２が出金許可データ２１０を受信した後、ＡＴＭ２の記憶部２２に記憶されるデータ構成の一例を示す図である。
図２（ｄ）に示すデータ構成１４０では、銀行コード１４１の項目に格納される「銀行コード」として「０００１」が示され、銀行名１４２の項目に格納される「銀行名」として「Ａ銀行」が示され、出金金額（円）１４３の項目に格納される「出金金額」として「１０，０００」が示されている。
【００１８】
図２（ｅ）は、Ａ銀行サーバ４の記憶部４２に記憶される原簿データテーブルの一例を示す図であり、図２（ｆ）は、Ｂ銀行サーバ４の記憶部４２に記憶される原簿データテーブルの一例を示す図である。
【００１９】
図２（ｅ）又は図２（ｆ）に示すように、各銀行サーバ４の記憶部４２に記憶される原簿データテーブルは、支店コード、口座番号、科目、残高（円）、及び暗証番号の各項目からなるデータレコード（１）〜データレコード（Ｎ）により構成される。図２（ｅ）に示す原簿データテーブル１５０では、例えば、データレコード（１）の支店コード１５１の項目に格納される「支店コード」として「００１」が示され、データレコード（１）の口座番号１５２の項目に格納される「口座番号」として「０００００００１」が示され、データレコード（１）の科目１５３の項目に格納される「科目」として「０１」が示され、データレコード（１）の残高（円）１５４の項目に格納される「残高」として「１，０００，０００」が示され、データレコード（１）の暗証番号１５５の項目に格納される「暗証番号」として「１０００」が示されている。また、図２（ｆ）に示す原簿データテーブル１６０では、例えば、データレコード（１）の支店コード１６１の項目に格納される「支店コード」として「００３」が示され、データレコード（１）の口座番号１６２の項目に格納される「口座番号」として「０００００００３」が示され、データレコード（１）の科目１６３の項目に格納される「科目」として「０３」が示され、データレコード（１）の残高（円）１６４の項目に格納される「残高」として「３，０００，０００」が示され、データレコード（１）の暗証番号１６５の項目に格納される「暗証番号」として「３０００」が示されている。
【００２０】
図３（ａ）は、出金依頼データ２００の一例を示す図である。
図３（ａ）に示す出金依頼データ２００では、依頼内容２０１の項目に格納される「依頼内容」として「出金」が示され、銀行コード２０２の項目に格納される「銀行コード」として「０００１」が示され、支店コード２０３の項目に格納される「支店コード」として「００１」が示され、口座番号２０４の項目に格納される「口座番号」として「０００００００１」が示され、科目２０５の項目に格納される「科目」として「０１」が示され、出金金額（円）２０６の項目に格納される「出金金額」として「１０，０００」が示され、暗証番号２０７の項目に格納される「暗証番号」として「１０００」が示されている。
【００２１】
図３（ｂ）は、出金許可データ２１０の一例を示す図である。
図３（ｂ）に示す出金許可データ２１０では、依頼内容２１１の項目に格納される「依頼内容」として「出金」が示され、銀行コード２１２の項目に格納される「銀行コード」として「０００１」が示され、支店コード２１３の項目に格納される「支店コード」として「００１」が示され、口座番号２１４の項目に格納される「口座番号」として「０００００００１」が示され、科目２１５の項目に格納される「科目」として「０１」が示され、出金金額（円）２１６の項目に格納される「出金金額」として「１０，０００」が示され、残高（円）２１７の項目に格納される「残高」として「９９０，０００」が示されている。
【００２２】
図３（ｃ）は、入金依頼データ３００の一例を示す図である。
図３（ｃ）に示す入金依頼データ３００では、依頼内容３０１の項目に格納される「依頼内容」として「入金」が示され、銀行コード３０２の項目に格納される「銀行コード」として「０００３」が示され、支店コード３０３の項目に格納される「支店コード」として「００３」が示され、口座番号３０４の項目に格納される「口座番号」として「０００００００３」が示され、科目３０５の項目に格納される「科目」として「０３」が示され、入金金額（円）３０６の項目に格納される「入金金額」として「１０，０００」が示されている。
【００２３】
図３（ｄ）は、入金許可データ３１０の一例を示す図である。
図３（ｄ）に示す入金許可データ３１０では、依頼内容３１１の項目に格納される「依頼内容」として「入金」が示され、銀行コード３１２の項目に格納される「銀行コード」として「０００３」が示され、支店コード３１３の項目に格納される「支店コード」として「００３」が示され、口座番号３１４の項目に格納される「口座番号」として「０００００００３」が示され、科目３１５の項目に格納される「科目」として「０３」が示され、入金金額（円）３１６の項目に格納される「入金金額」として「１０，０００」が示され、残高（円）３１７の項目に格納される「残高」として「３，０１０，０００」が示されている。
【００２４】
次に、利用者がＡＴＭ２にてＡ銀行の自口座からＢ銀行の自口座へ貨幣を移動させる場合のＡＴＭ２、ＡＴＭサーバ３、Ａ銀行サーバ４、及びＢ銀行サーバ４のそれぞれの動作について説明する。
【００２５】
図４〜図６は、そのときのＡＴＭ２、ＡＴＭサーバ３、Ａ銀行サーバ４、及びＢ銀行サーバ４のそれぞれの動作を説明するためのフローチャートである。また、図７及び図８は、ＡＴＭ２の表示部２５に表示される画面の一例を示す図である。
【００２６】
まず、ＡＴＭ２は、利用者により取引開始キーが選択されるなどして取り引きが開始されたと判断すると（Ｓ１がＹｅｓ）、図７（ａ）に示すような取引開始画面を表示部２５に表示する（Ｓ２）。
【００２７】
次に、ＡＴＭ２は、データ読取部２３に銀行カード７が挿入されたと判断すると（Ｓ３がＹｅｓ）、図７（ｂ）に示すような手数料確認画面を表示部２５に表示する（Ｓ４）。なお、このとき、ＡＴＭ２は、銀行データテーブル１３０のデータレコード（１）〜データレコード（Ｎ）の中から、挿入された銀行カード７に示される「銀行コード」と一致する「銀行コード」が示されるデータレコードを検索し、その検索したデータレコードの手数料（円）１３３の項目に格納されている「手数料」を手数料確認画面に示す。また、手数料確認画面には、「確認」キー７０が設けられているものとする。
【００２８】
次に、ＡＴＭ２は、利用者により「確認」キー７０が選択されたと判断すると（Ｓ５がＹｅｓ）、図７（ｃ）に示すような取引選択画面を表示部２５に表示する（Ｓ６）。なお、取引選択画面には、「お引出し」キー７１、「ご入金」キー７２、及び「残高照会」キー７３が設けられているものとする。
【００２９】
次に、ＡＴＭ２は、利用者により「お引出し」キー７１が選択され、かつ、Ｓ４で検索したデータレコードの出金可能フラグ１３４の項目に格納されているフラグが「可」であると判断すると（Ｓ７がＹｅｓ）、利用者に「暗証番号」を入力させるための図７（ｄ）に示すような暗証番号入力画面を表示部２５に表示する（Ｓ８）。
【００３０】
次に、ＡＴＭ２は、利用者により「暗証番号」が入力されたと判断すると（Ｓ９がＹｅｓ）、利用者にお引出し金額を入力させるための図７（ｅ）に示すようなお引出し金額入力画面を表示部２５に表示する（Ｓ１０）。
【００３１】
次に、ＡＴＭ２は、利用者により「お引出し金額」が入力されたと判断すると（Ｓ１１がＹｅｓ）、図７（ｆ）に示すようなお引出し金額確認画面を表示部２５に表示する（Ｓ１２）。なお、お引出し金額確認画面には、「確認」キー７４が設けられているものとする。
【００３２】
次に、ＡＴＭ２は、利用者により「確認」キー７４が選択されたと判断すると（Ｓ１３がＹｅｓ）、図７（ｇ）に示すようなお引出し処理中画面を表示部２５に表示するとともに、出金依頼データ２００をＡＴＭサーバ３へ送信する（Ｓ１４）。このとき、例えば、ＡＴＭ２のデータ生成部２４は、挿入された銀行カード７に記憶される口座情報より「銀行コード」、「支店コード」、「口座番号」及び「科目」を出金依頼データ２００の銀行コード２０２、支店コード２０３、口座番号２０４及び科目２０５の各項目にそれぞれ格納するとともに、Ｓ１０で入力された「お引出し金額」及びＳ８で入力された「暗証番号」を出金依頼データ２００の出金金額（円）２０６及び暗証番号２０７の各項目にそれぞれ格納して出金依頼データ２００を生成する。
【００３３】
次に、ＡＴＭサーバ３は、出金依頼データ２００を受信すると（Ｓ１５がＹｅｓ）、その出金依頼データ２００の銀行コード２０２に格納される「銀行コード」に対応する銀行サーバ４へ出金依頼データ２００を送信する（Ｓ１６）。図４〜図６に示すフローチャートでは、ＡＴＭサーバ３からＡ銀行サーバ４へ出金依頼データ２００が送信されている。
【００３４】
次に、出金依頼データ２００を受信した銀行サーバ４（Ｓ１７がＹｅｓ）は、残高更新部４３において、出金依頼データ２００の支店コード２０３、口座番号２０４及び科目２０５の項目に格納されている「支店コード」、「口座番号」及び「科目」に対応する「残高」から出金依頼データ２００の出金金額（円）２０６の項目に格納されている「出金金額」を減算する（Ｓ１８）。なお、このとき、銀行サーバ４は、「暗証番号」が正しいか否かの判断を行う。例えば、銀行サーバ４は、原簿データテーブル１５０のデータレコード（１）〜データレコード（Ｎ）の中から、出金依頼データ２００の支店コード２０３、口座番号２０４及び科目２０５の項目に格納される「支店コード」、「口座番号」及び「科目」と一致する「支店コード」、「口座番号」及び「科目」が格納されるデータレコードを検索し、その検索したデータレコードの暗証番号１５５の項目に格納される「暗証番号」と出金依頼データ２００の暗証番号２０７の項目に格納される「暗証番号」とが一致するか否かにより、「暗証番号」が正しいか否かの判断を行うようにしてもよい。
【００３５】
次に、銀行サーバ４は、データ生成部４４において、出金依頼データ２００の銀行コード２０２、支店コード２０３、口座番号２０４、科目２０５及び出金金額（円）２０６の各項目に格納されている「銀行コード」、「支店コード」、「口座番号」、「科目」、及び「出金金額」を出金許可データ２１０の銀行コード２１２、支店コード２１３、口座番号２１４、科目２１５及び出金金額（円）２１６の各項目にそれぞれ格納するとともに、更新した「残高」を出金許可データ２１０の残高（円）２１７の項目に格納して出金許可データ２１０を生成し、その生成した出金許可データ２１０をＡＴＭサーバ３へ送信する（Ｓ１９）。
【００３６】
次に、ＡＴＭサーバ３は、出金許可データ２１０を受信すると（Ｓ２０がＹｅｓ）、その出金許可データ２１０を、出金依頼データ２００を送信したＡＴＭ２へ送信する（Ｓ２１）。
【００３７】
次に、ＡＴＭ２は、出金許可データ２１０を受信すると（Ｓ２２がＹｅｓ）、出金許可データ２１０の出金金額（円）２１６の項目に格納されている「出金金額」を、記憶部２２に記憶されるデータ構成１４０の出金金額（円）１４３の項目に格納し（Ｓ２３）、図７（ｈ）に示すような処理選択画面を表示部２５に表示する。なお、データ構成１４０の銀行コード１４１及び銀行名１４２の各項目には、Ｓ４で検索したデータレコードの銀行コード１３１及び銀行名１３２の各項目に格納されている「銀行コード」及び「銀行名」が格納されるものとする。また、処理選択画面には、「現金で受け取る」キー７５及び「他の銀行へ入金する」キー７６が設けられているものとする。
【００３８】
次に、ＡＴＭ２は、利用者により「他の銀行へ入金する」キー７６が選択されたと判断すると（Ｓ２４がＹｅｓ）、図８（ａ）に示すような画面を表示部２５に表示し（Ｓ２５）、データ読取部２３に挿入されている銀行カード７を排出するとともに、利用者により入金したい銀行の銀行カード７をデータ読取部２３に挿入させるための図８（ｂ）に示すような画面を表示部２５に表示する（Ｓ２６）。
【００３９】
次に、ＡＴＭ２は、データ読取部２３に銀行カード７が挿入されたと判断し（Ｓ２７がＹｅｓ）、かつ、その挿入された銀行カード７の銀行において入金手続ができないと判断すると（Ｓ２８がＮｏ）、図８（ｃ）に示すような画面を表示部２５に表示し（Ｓ２９）、データ読取部２３に挿入されている銀行カード７を排出する（Ｓ３０）。なお、ＡＴＭ２は、Ｓ４で検索したデータレコードの入金可能フラグ１３５の項目に格納されているフラグが「可」であるとき、入金手続ができると判断し、フラグが「不可」のとき、入金手続ができないと判断するものとする。
【００４０】
次に、ＡＴＭ２は、図８（ｄ）に示すような画面を表示部２５に表示し（Ｓ３１）、現金を払い出した後（Ｓ３２）、図８（ｅ）に示すような画面を表示部２５に表示し（Ｓ３３）、終了する。
【００４１】
一方、データ読取部２３に銀行カード７が挿入されたと判断し（Ｓ２７がＹｅｓ）、かつ、その挿入された銀行カード７の銀行において入金手続ができると判断すると（Ｓ２８がＹｅｓ）、ＡＴＭ２は、図８（ｆ）に示すような入金選択画面を表示部２５に表示する（Ｓ３４）。なお、このとき、ＡＴＭ２は、銀行データテーブル１３０のデータレコード（１）〜データレコード（Ｎ）の中から、挿入された銀行カード７に示される「銀行コード」と一致する「銀行コード」が示されるデータレコードを検索し、その検索したデータレコードの手数料（円）１３３の項目に格納されている「手数料」を入金選択画面に示す。また、入金選択画面には、「現金で受け取る」キー７７及び「入金する」キー７８が設けられているものとする。
【００４２】
次に、ＡＴＭ２は、利用者により「入金する」キー７８が選択されなかったと判断すると、すなわち、利用者により「現金で受け取る」キー７７が選択されたと判断すると（Ｓ３５がＮｏ）、Ｓ２９〜Ｓ３３を行う。
【００４３】
一方、利用者により「入金する」キー７８が選択されたと判断すると（Ｓ３５がＹｅｓ）、ＡＴＭ２は、図８（ｇ）に示すような入金処理中画面を表示部２５に表示するとともに、入金依頼データ３００をＡＴＭサーバ３へ送信する（Ｓ３６）。このとき、例えば、ＡＴＭ２のデータ生成部２４は、挿入された銀行カード７に記憶される口座情報より「銀行コード」、「支店コード」、「口座番号」及び「科目」を入金依頼データ３００の銀行コード３０２、支店コード３０３、口座番号３０４及び科目３０５の各項目にそれぞれ格納するとともに、記憶部２２に記憶されているデータ構成１４０の出金金額（円）１４３の項目に格納されている「出金金額」を入金依頼データ３００の入金金額（円）３０６の項目に格納して入金依頼データ３００を生成する。
【００４４】
次に、ＡＴＭサーバ３は、入金依頼データ３００を受信すると（Ｓ３７がＹｅｓ）、その入金依頼データ３００の銀行コード３０２に格納される「銀行コード」に対応する銀行サーバ４へ入金依頼データ３００を送信する（Ｓ３８）。図４〜図６に示すフローチャートでは、ＡＴＭサーバ３からＢ銀行サーバ４へ入金依頼データ３００が送信されている。
【００４５】
次に、入金依頼データ３００を受信した銀行サーバ４（Ｓ３９がＹｅｓ）は、残高更新部４３において、入金依頼データ３００の支店コード３０３、口座番号３０４、及び科目３０５の項目に格納されている「支店コード」、「口座番号」及び「科目」に対応する「残高」に入金依頼データ３００の入金金額（円）３０６の項目に格納されている「入金金額」を加算する（Ｓ４０）。
【００４６】
次に、銀行サーバ４は、データ生成部４４において、入金依頼データ３００の銀行コード３０２、支店コード３０３、口座番号３０４、科目３０５、及び入金金額（円）３０６の各項目に格納されている「銀行コード」、「支店コード」、「口座番号」、「科目」及び「入金金額」を入金許可データ３１０の銀行コード３１２、支店コード３１３、口座番号３１４、科目３１５、及び入金金額（円）３１６の各項目にそれぞれ格納するとともに、更新した「残高」を入金許可データ３１０の残高（円）３１７の項目に格納して入金許可データ３１０を生成し、その生成した入金許可データ３１０をＡＴＭサーバ３へ送信する（Ｓ４１）。
【００４７】
次に、ＡＴＭサーバ３は、入金許可データ３１０を受信すると（Ｓ４２がＹｅｓ）、その入金許可データ３１０を、入金依頼データ３００を送信したＡＴＭ２へ送信する（Ｓ４３）。
【００４８】
次に、ＡＴＭ２は、入金許可データ３１０を受信すると（Ｓ４４がＹｅｓ）、図８（ｈ）に示すように、入金処理が完了した旨のメッセージが示される画面を表示部２５に表示し（Ｓ４５）、データ読取部２３に挿入されている銀行カード７を排出し（Ｓ４６）、図８（ｅ）に示すような画面を表示部２５に表示し（Ｓ４７）、終了する。
【００４９】
このように、本実施形態の自動入出金システム１は、Ａ銀行からの出金金額をＡＴＭ２の記憶部２２に一旦記憶しておき、その記憶した出金金額を使用してＢ銀行への入金処理を行う構成であるため、利用者が貨幣を保持する必要がない。これにより、ある銀行から他の銀行へ貨幣を移動させる場合に、利用者の貨幣保持により発生するリスクを無くすことができる。
【００５０】
また、本実施形態の自動入出金システム１は、ある銀行から他の銀行へ貨幣を移動させる場合に、振り込みを行わないため、利用者が振り込み手数料を支払わなくてよい。
また、本実施形態の自動入出金システム１は、ある銀行から他の銀行へ貨幣を移動させる場合に、ＡＴＭ２からの現金の払い出しが低減されるため、ＡＴＭ２の現金計数の処理回数を抑えることができる。
【００５１】
また、本実施形態の自動入出金システム１は、利用者による現金での入出金操作がなくなるため、その分利用者の手間が低減される。また、その分ＡＴＭ２の利用時間が短縮される。
【符号の説明】
【００５２】
１  自動入出金システム
２  ＡＴＭ
３  ＡＴＭサーバ
４  銀行サーバ
５  ＡＴＭネットワーク
６  提携ネットワーク
７  銀行カード
２１  送受信部
２２  記憶部
２３  データ読取部
２４  データ生成部
２５  表示部
３１  送受信部
４１  送受信部
４２  記憶部
４３  残高更新部
４４  データ生成部
【図１】
2011180774.tif 000003
【図２】
2011180774.tif 000004
【図３】
2011180774.tif 000005
【図４】
2011180774.tif 000006
【図５】
2011180774.tif 000007
【図６】
2011180774.tif 000008
【図７】
2011180774.tif 000009
【図８】
2011180774.tif 000010